(57)【要約】【課題】無線ネットワーク・システムにおいて、消費電力効率を優先させるようなデータ転送を行う。【解決手段】複数の無線端末（１００）と通信可能な無線基地局用の装置（２００、３１０）は、バッファメモリ（２２６、３２６）と、そのバッファメモリの制御手段（２２４、３２４）と、送信手段（２８２）と、受信手段（２８４）と、を具えている。その制御手段は、その複数の無線端末の中の或る端末との間の通信が省電力モードであるときに、その或る端末に送信すべきデータの受け取りに応答して、その送信すべきデータをそのバッファメモリのその或る端末用の領域に蓄積させる。その制御手段は、その或る端末との間の通信がその省電力モードであるときに、所定のタイミングまたはバッファ蓄積量が或る一定値に達したときに、そのバッファメモリのその領域からそのバッファメモリ内のデータがなくなるまでその送信すべきデータを連続的に読み出して、その送信手段にその送信すべきデータを連続的に送信させる。【選択図】        図３
2004165791.tif 000002
【特許請求の範囲】
【請求項１】
複数の無線端末と通信可能な無線基地局用の装置であって、
バッファメモリと、前記バッファメモリの制御手段と、送信手段と、受信手段と、を具え、
前記制御手段は、前記複数の無線端末の中の或る端末との間の通信が、送信も受信も行わない休止状態とデータの送信または受信が可能な起動状態とで構成される省電力モードであるときに、前記或る端末に送信すべきデータの受け取りに応答して、前記送信すべきデータを前記バッファメモリの前記或る端末用の領域に蓄積させ、
前記制御手段は、前記或る端末との間の通信が前記省電力モードであるときに、所定のタイミングまたは所定のバッファ蓄積量に達したときに、前記バッファメモリの前記領域から前記バッファメモリ内のデータがなくなるまで前記送信すべきデータを連続的に読み出して、前記送信手段に前記送信すべきデータを連続的に送信させることを特徴とする、装置。
【請求項２】
無線基地局と通信する無線端末であって、
バッファメモリと、前記バッファメモリの制御手段と、送信手段と、受信手段と、を具え、
前記送信手段および受信手段は、送信も受信も行わない休止状態とデータの送信または受信が可能な起動状態とで構成される省電力モードを有し、
前記制御手段の制御は、送信すべきデータの受け取りに応答して、前記送信すべきデータを前記バッファメモリに蓄積し、
前記送信手段は、所定のタイミングまたは所定のバッファ蓄積量に達したときに起動状態に移行して、前記バッファメモリから前記バッファメモリ内のデータがなくなるまで前記送信すべきデータを読み出して連続的に送信し、所定の時間の間に送信と受信のいずれも生じなかったときは前記休止状態に移行し、
前記所定のタイミングの間隔は前記所定の時間より長いことを特徴とする、無線端末。
【請求項３】
複数の無線端末と通信可能な装置用のプログラムであって、前記複数の無線端末の中の或る端末との間の通信が、送信も受信も行わない休止状態とデータの送信または受信が可能な起動状態とで構成される省電力モードであるときに、前記或る端末に送信すべきデータの受け取りに応答して、前記送信すべきデータをバッファメモリの前記或る端末用の領域に蓄積させるステップと、
前記或る端末との間の通信が前記省電力モードであるときに、所定のタイミングまたは所定のバッファ蓄積量に達したときに、前記バッファメモリの前記領域から前記バッファメモリ内のデータがなくなるまで前記送信すべきデータを連続的に読み出して前記送信すべきデータを連続的に送信するステップと、
を実行させるよう動作可能なプログラム。
【請求項４】
送信すべきデータの受け取りに応答して、前記送信すべきデータをバッファメモリに蓄積するステップと、
所定のタイミングまたは所定のバッファ蓄積量に達したときに、データの送信が可能な起動状態に移行して、前記バッファメモリから前記バッファメモリ内のデータがなくなるまで前記送信すべきデータを読み出して連続的に送信し、所定の時間の間に送信と受信のいずれも生じなかったときは、送信も受信も行わない休止状態に移行するステップと、
を実行させるよう動作可能な、無線基地局と通信する無線端末用のプログラムであって、
前記所定のタイミングの間隔は前記所定の時間より長いことを特徴とする、プログラム。
【請求項５】
複数の無線端末と通信可能な装置における通信方法であって、
前記複数の無線端末の中の或る端末との間の通信が省電力モードであるときに、前記或る端末に送信すべきデータの受け取りに応答して、前記送信すべきデータをバッファメモリの前記或る端末用の領域に蓄積させるステップと、
前記或る端末との間の通信が前記省電力モードであるときに、所定のタイミングまたは所定のバッファ蓄積量に達したときに、前記バッファメモリの前記領域から前記バッファメモリ内のデータがなくなるまで前記送信すべきデータを連続的に読み出して前記送信すべきデータを連続的に送信するステップと、
を含む通信方法。
【発明の詳細な説明】
【０００１】
【発明の属する技術分野】
本発明は、無線ランダムアクセス・ネットワークに関し、特にＩＥＥＥ８０２．１１準拠の無線ＬＡＮを構成する例えば携帯端末のような端末、基地局およびサーバのような装置、およびプログラムおよびその方法に関する。
【０００２】
【従来の技術】
図１は、ＩＥＥＥ８０２．１１標準による、基地局（アクセス・ポイント＝ＡＰ）からデータを受信する無線端末における非省電力モードと省電力モードの消費電力管理を示している。ＩＥＥＥ８０２．１１の非省電力モードでは、無線端末は、送信機および受信機に給電して常に送受信可能な起動状態にある。ＩＥＥＥ８０２．１１の省電力モードでは、通常、無線端末は送信機および受信機への電力供給をできるだけ抑えた休止（ドーズ）状態（モード）となる。無線端末は、受信すべきデータの有無を確認するために、定期的に一定時間、送受信可能な起動状態になって、受信すべきデータの有無を表す情報を含んでいるパケットを受信する。無線端末が基地局を介して通信を行うインフラストラクチャ・モードでは、基地局によって全ての端末宛てに周期的に送信されるビーコン中のＴＩＭに、基地局から端末に送信すべきデータの有無を表す情報が含まれている。端末間で直接通信を行うアドホック・モードでは、ビーコンの直後の全ての端末が起動している瞬間に、データの送信元端末から受信先端末に送信されるＡＴＩＭパケットに、送信端末から受信端末に送信すべきデータの有無を表す情報が含まれている。
【０００３】
インフラストラクチャ・モードでは、端末は、データを受信するとき、基地局にデータ送信の要求を送信して受信待機状態に入る。端末からデータ送信の要求を受信した基地局は、バファリングされたデータをその受信待機状態の端末に送信する。端末は、バファリングされたデータの全てを受信し終わった後、再び休止状態に戻る。或る端末から基地局または他の端末への送信は随時行われる。アドホック・モードでは、ＡＴＩＭパケットを受信した端末が、ＡＴＩＭを送信した端末に送信確認（ＡＣＫ）を送信し、ＡＴＩＭを送信した端末にデータ送信を要求する。アドホック・モードにおいて、一度起動した省電力状態の端末は、次のＡＴＩＭ受信区間の終了まで起動状態（モード）を継続する。特にインフラストラクチャ・モードにおいて、ＩＥＥＥ８０２．１１標準の省電力モードでは、ビーコンごとにしかデータの送受信がなく、データの転送効率が悪い。ＩＥＥＥ８０２．１１標準の省電力方式によれば、アドホック・モードでは、データが発生しない時間にも、１ビーコン区間は起動状態を継続するので、消費電力効率が悪い。
【０００４】
図２は、そのデータの転送効率を改良した既知のデータ受信方法を示している。端末は、例えば、▲１▼のビーコン受信で基地局に自端末宛てのデータがバファリングされているという通知を受けたとき、一時的に非省電力モードに移行し、その後、非省電力モードを維持して、基地局にバファリングされているデータを順次受信する。端末は、▲２▼に示されているように最後（前回）のデータ送信から受信データが無い状態で所定の待機期間が経過した後、▲３▼に示されているように非省電力モードを解除し休止状態に戻る。その改良された方式では転送効率の低下は防げるが、送受信データがまばらにしか発生しない場合でも、端末は少なくとも一定期間だけ起動状態を継続するので消費電力効率が悪い。
【０００５】
【発明が解決しようとする課題】
発明者は、無線ネットワークを構成する、例えば携帯電話機、ＰＤＡおよびノートブック型パーソナル・コンピュータのようなモバイル機器において、バッテリの電力消費をできるだけ抑えた消費電力効率の高いデータ転送方法が必要であると認識した。
【０００６】
本発明の目的は、消費電力を低くする必要があるときに、消費電力効率を優先させるようなデータ転送を行う無線ネットワーク・システムを実現することである。本発明の別の目的は、消費電力を低くする必要があるときに、入力データを蓄積し、その蓄積されたデータを短い時間で連続的に送信または受信することができる無線ネットワーク・システムを実現することである。
【０００７】
【課題を解決するための手段】
本発明の１つの特徴によれば、複数の無線端末と通信可能な無線基地局用の装置は、バッファメモリと、そのバッファメモリの制御手段と、送信手段と、受信手段と、を具えている。その制御手段は、その複数の無線端末の中の或る端末との間の通信が、送信も受信も行わない休止状態とデータの送信または受信が可能な起動状態とで構成される省電力モード、特に前述の改良された省電力モードであるときに、その或る端末に送信すべきデータの受け取りに応答して、その送信すべきデータをそのバッファメモリのその或る端末用の領域に蓄積させる。その制御手段は、その或る端末との間の通信がその省電力モードであるときに、所定のタイミングまたは所定のバッファ蓄積量に達したときに、そのバッファメモリのその領域からそのバッファメモリ内のデータがなくなるまでその送信すべきデータを連続的に読み出して、その送信手段にその送信すべきデータを連続的に送信させる。
【０００８】
本発明の別の特徴によれば、無線基地局と通信する無線端末は、送信手段と、受信手段とを具えている。その送信手段および受信手段は、送信も受信も行わない休止状態とデータの送信または受信が可能な起動状態とで構成される省電力モードを有する。その制御手段の制御は、送信すべきデータの受け取りに応答して、その送信すべきデータをそのバッファメモリに蓄積する。その送信手段は、所定のタイミングまたは所定のバッファ蓄積量に達したときに起動状態に移行して、そのバッファメモリからそのバッファメモリ内のデータがなくなるまでその送信すべきデータを読み出して連続的に送信し、所定の時間の間に送信と受信のいずれも生じなかったときはその休止状態に移行する。その所定のタイミングの間隔はその所定の時間より長い。
【０００９】
本発明のさらに別の特徴によれば、複数の無線端末と通信可能な装置用のプログラムは、その複数の無線端末の中の或る端末との間の通信が、送信も受信も行わない休止状態とデータの送信または受信が可能な起動状態とで構成される省電力モードであるときに、その或る端末に送信すべきデータの受け取りに応答して、その送信すべきデータをバッファメモリのその或る端末用の領域に蓄積させるステップと、その或る端末との間の通信がその省電力モードであるときに、所定のタイミングまたは所定のバッファ蓄積量に達したときに、そのバッファメモリのその領域からそのバッファメモリ内のデータがなくなるまでその送信すべきデータを連続的に読み出してその送信すべきデータを連続的に送信するステップと、を実行させるよう動作可能である。
【００１０】
本発明のさらに別の特徴によれば、送信すべきデータの受け取りに応答して、前記送信すべきデータをバッファメモリに蓄積するステップと、所定のタイミングまたは所定のバッファ蓄積量に達したときに、データの送信が可能な起動状態に移行して、前記バッファメモリから前記バッファメモリ内のデータがなくなるまで前記送信すべきデータを読み出して連続的に送信し、所定の時間の間に送信と受信のいずれも生じなかったときは、送信も受信も行わない休止状態に移行するステップと、を実行させるよう動作可能である。その所定のタイミングの間隔はその所定の時間より長い。
【００１１】
本発明のさらに別の特徴によれば、複数の無線端末と通信可能な装置における通信方法は、その複数の無線端末の中の或る端末との間の通信が省電力モードであるときに、その或る端末に送信すべきデータの受け取りに応答して、その送信すべきデータをバッファメモリのその或る端末用の領域に蓄積させるステップと、その或る端末との間の通信がその省電力モードであるときに、所定のタイミングまたは所定のバッファ蓄積量に達したときに、そのバッファメモリのその領域からそのバッファメモリ内のデータがなくなるまでその送信すべきデータを連続的に読み出してその送信すべきデータを連続的に送信するステップと、を含んでいる。
【００１２】
本発明によれば、消費電力を低くする必要があるときに、消費電力効率を優先させるようなデータ転送を行う無線ネットワーク・システムを実現でき、また、消費電力を低くする必要があるときに、入力データを蓄積し、その蓄積されたデータを短い時間で連続的に送信または受信することができる無線ネットワーク・システムを実現できる。さらに、本発明によれば、以上の機能を安価で容易に、例えば制御プログラムの変更のみで既存のシステムに実装することが可能である。
【００１３】
図面において同じ要素には同じ参照番号が付されている。
【００１４】
【発明の実施の形態】
図３は本発明の原理を示している。無線ネットワークを構成する無線端末および無線基地局（ＡＰ）は、予め基地局がビーコンを各無線端末に送信することによって、互いに同期状態にある。従って、各無線端末は、基地局からビーコンが送信されるタイミングを知っている。各無線端末は、無線回線にランダムにアクセスしてデータを送受信する。
【００１５】
図３の上側の図は図２に示した既知のデータ受信方法の動作を示している。前述のように送受信データがまばらにしか発生しない場合でも、端末は少なくとも一定期間だけ起動状態を継続するので消費電力効率が悪い。
【００１６】
一方、或る無線端末が本発明による省電力モードで動作しているとき、無線ネットワークを構成する無線基地局またはサーバまたは別の無線端末は、その或る無線端末に宛てられた送信データ・パケットをバッファメモリに蓄積し、その或る無線端末が周期的にまたは所定のタイミングで起動し、その起動状態に移行するとき、バッファメモリに蓄積された送信データ・パケットを連続的に読み出してその或る無線端末に連続的に送信する。また、その或る無線端末は、本発明による省電力モードで動作しているとき、送信データ・パケットをバッファメモリに蓄積し、周期的にまたは所定のタイミングで起動状態に移行して、基地局または別の端末に連続的にデータ・パケットを送信する。無線端末は、そのデータ・パケットの送受信後、最後（前回）のデータ・パケットの送信または受信から送信も受信も無い状態で所定の待機期間が経過した後、起動状態から休止状態に戻る。従って、無線端末は、休止状態においてその消費電力が最小限に抑えられ、起動状態におけるデータの送受信の時間の比率が大きく、データ転送に対する消費電力の効率が高くなる。
【００１７】
本発明による省電力モードは、図１（下側）および／または図２に例示した従来技術の省電力モードと組み合わせて、第２または第３の省電力モードとして用いることもできる。
【００１８】
図４は、本発明の実施形態による、無線ＬＡＮを構成するｎＭ個の端末１００〜１０６および無線基地局（ＡＰ）２００、および有線ＬＡＮ５０を介して無線基地局２００と通信するアプリケーション・サーバ３００の構成を示している。基地局２００は、ｎ個の端末１００〜１０６宛ての送信データのバッファ制御を行うことができる。
【００１９】
図４を参照すると、端末１００は、プロセッサ１０２と、送信部（ＴＸ）１８２および受信部（ＲＸ）１８４とを具えている。プロセッサ１０２上で、受信データを受け取るアプリケーション１３２ａおよび１３４ａと、ユーザによる端末１００の設定操作によって発生するユーザ要求および／または端末１００におけるバッテリの電力残量に従って端末１００と基地局２００の間の通信を省電力モードに設定し、その省電力モードに関する設定状態（命令）、ユーザ要求および／またはバッテリ電力残量を示す情報を基地局２００に供給するアプリケーション１３６と、が実装される。送信部１８２および受信部１８４は、送信バッファ制御を行う送信処理部と、無線送信機とを含んでいる。受信部１８４は、無線受信機を含んでいる。
【００２０】
アプリケーション１３６は、端末１００における省電力モードに関する設定状態、ユーザ要求またはバッテリ電力残量が変化すると、送信するパケットに乗せて基地局２００にその現在の設定状態（命令）、ユーザ要求および／または電力残量を示す情報を通知する。アプリケーション１３６は、省電力モードに関するユーザの要求に従って、端末１００と基地局２００の間の通信を省電力モードに設定する。また、アプリケーション１３６は、省電力モードに関するユーザの要求に従って、そのバッテリの電力残量が或る閾値より少なくなったときだけ端末１００と基地局２００の間の通信を省電力モードに設定してもよい。また、アプリケーション１３６は、省電力モードに関するユーザの要求に関係なく、そのバッテリの電力残量が或る閾値より少なくなったときに端末１００と基地局２００の間の通信を省電力モードに設定してもよい。
【００２１】
アプリケーション・サーバ３００はプロセッサ３０２を具えている。プロセッサ３０２上で、基地局２００に送信データを供給するアプリケーション３３２ａおよび３３４ａが実装される。アプリケーション３３２ａは、例えば電話またはＶｏＩＰ等のための、少ない遅延で送信されることを要するデータを生成する。一方、アプリケーション３３４ａは、例えばファイル転送またはストリーミング放送のためのデータで、バッファリングされて送信されるデータを生成する。アプリケーション３３２ａは、アプリケーション１３２ａに対応し、アプリケーション１３２ａ用のデータを供給する。アプリケーション３３４ａは、アプリケーション１３４ａに対応し、アプリケーション１３４ａ用のデータを供給する。
【００２２】
基地局２００は、省電力判定機構２２０と、バッファメモリ制御部２２４およびバッファメモリ２２６を含むトラフィック制御部２２２と、端末１００〜１０６と通信するための送信部（ＴＸ）２８２および受信部（ＲＸ）２８４とを具えている。
【００２３】
省電力判定機構２２０は、端末１００から、省電力モードに関する設定の状態（命令）、省電力モードに関するユーザの要求および／またはバッテリの残量を示す情報を受け取って、その情報に従って端末１００との通信を省電力モードでトラフィック制御すべきかどうかを判定して、その判定結果、即ちバッファメモリ３３６内の端末１００宛てのバッファメモリ領域の制御モードをトラフィック制御部２２２に通知する。省電力判定機構２２０は、省電力モードに関する設定の状態（命令）に従って、バッファメモリ２２６内の端末１００宛ての領域の制御モードを省電力モードでトラフィック制御すべきと判定する。また、省電力判定機構２２０は、ユーザの要求に従って、バッファメモリ２２６内の端末１００宛ての領域の制御モードを省電力モードでトラフィック制御すべきと判定する。また、省電力判定機構２２０は、省電力モードに関する所定のルールに従って、端末１００のバッテリの電力残量が或る閾値より少ないとき、バッファメモリ３３６内の端末１００宛てのバッファメモリ領域の制御モードを省電力モードでトラフィック制御すべきと判定する。
【００２４】
バッファメモリ制御部２２２は、省電力判定機構２２０による判定結果、即ち端末１００〜１０６との間の通信の制御モードに従って、ｎＭ個の端末１００〜１０６の各々宛ての送信データのバッファリングを制御する。
【００２５】
図７は、図３のタイムチャートに従って基地局２００におけるバッファ制御部２２４によって実行されるバッファ制御のための処理フローを示している。ｎ番目の端末を端末ｎと表す。ここで、ｎの初期値は１に設定される。
【００２６】
ステップ７０２において、バッファ制御部２２４は、アプリケーション３３２ａまたは３３４ａ等からＬＡＮ５０を介して基地局２００に供給された入力データ・パケットが存在するかどうかを判定する。入力データ・パケットがないと判定された場合は、手順はステップ７１６に進む。
【００２７】
ステップ７０２において入力データ・パケットがあると判定された場合は、ステップ７０４において、バッファ制御部２２４は、省電力判定装置２００からの各端末宛てのバッファメモリ領域の省電力モードに関する判定結果に従って、その入力データ・パケットがトラフィック制御が必要な省電力モードの端末宛てかどうかを判定する。その入力データ・パケットがトラフィック制御が必要な省電力モードの端末宛てでないと判定された場合は、手順はステップ７０８に進む。その入力データ・パケットがトラフィック制御が必要な省電力モードの端末宛てであると判定された場合、バッファ制御部２２４は、ステップ７０６において、その入力データ・パケットが低遅延データ・パケットかどうか、即ちアプリケーション３３２ａからの直ぐに送信すべきデータ・パケットかまたはアプリケーション３３４ａからのバッファリングして送信すべきデータ・パケットかどうか、を判定する。その入力データ・パケットが低遅延データ・パケットであると判定された場合は、手順はステップ７０８に進む。
【００２８】
ステップ７０８において、バッファ制御部２２４は、その入力データ・パケットを送信部２８２に渡す。その後、手順はステップ７０２に戻る。送信部２８２は、その入力データ・パケットを端末ｎ宛ての送信バッファに格納する。端末ｎが省電力モードの場合、次のビーコンを介してその端末に受信すべきデータ・パケットがあることを通知し、その端末からのポーリングに応答してまたはパケット受信の後、そのデータ・パケットをその端末ｎに送信する。端末ｎが省電力モードでない場合、送信部２８２は、無線回線が利用可能になりしだいそのデータ・パケットをその端末ｎに送信する。
【００２９】
ステップ７０６においてその入力データ・パケットが低遅延データ・パケットでない、即ちバッファリングして送信すべきデータ・パケットであると判定された場合は、バッファ制御部２２４は、ステップ７１０において、バッファメモリ２２６における対応する端末別（ｎ）の領域にその入力データ・パケットを蓄積し、ステップ７１２においてバッファメモリ２２６における対応する端末別の現在のデータ・パケット量を表すインジケータにその入力データ・パケットの量を加算する。
【００３０】
ステップ７１４において、バッファ制御部２２４は、バッファメモリ２２４内の端末ｎ宛てのバッファメモリ領域のデータ・パケット量のインジケータが所定の閾値を超えたかどうかを判定する。そのインジケータが所定の閾値を超えたと判定された場合は、手順はステップ７１８に進む。そのインジケータが所定の閾値を超えていないと判定された場合は、ステップ７１６において、バッファ制御部２２４は、タイマの現在の時間を監視して、現在の時間が、バッファメモリ２２６内の端末ｎ向けのデータ・パケットを送出すべきタイミングを表す送出時間を経過したかどうかを判定する。その送出時間を経過したと判定された場合は、手順はステップ７１８に進む。
【００３１】
ステップ７１８において、バッファ制御部２２２は、バッファメモリ２２６内の端末ｎ向けのバッファメモリ領域におけるデータ・パケットを送信部２８２へ渡し、ステップ７１６での判定結果がＹＥＳであったときのみ端末ｎ向けのタイマをクリアする。その後、手順はステップ７０２に戻る。送信部２８２は、その入力データ・パケットを端末ｎの送信バッファに格納する。端末ｎが省電力モードの場合、次のビーコンを介してその端末に受信すべきデータ・パケットがあることを通知し、その端末からのポーリングに応答してまたはパケット受信の後、そのデータ・パケットをその端末ｎに送信する。端末ｎが省電力モードでない場合、送信部２８２は、無線回線が利用可能になりしだいそのデータ・パケットをその端末ｎに送信する。
【００３２】
ステップ７１６においてその送出時間を経過していないと判定された場合は、ステップ７２０において、ｎが端末の数と１の和（ｎＭ＋１）より小さいかどうかを判定する。ｎがｎＭ＋１より小さいと判定された場合は、ｎ＝ｎ＋１と設定されて、手順はステップ７１６に戻る。ｎがｎＭ＋１より小さくないと判定された場合は、ｎ＝１と設定されて、手順はステップ７０２に戻る。
【００３３】
図５は、本発明の別の実施形態による、無線ＬＡＮを構成するｎＭ個の端末１００〜１０６および無線基地局（ＡＰ）２１０、および有線ＬＡＮ５０を介して無線基地局２１０と通信するアプリケーション・サーバ３１０の構成を示している。アプリケーション・サーバ３１０は、ｎ個の端末１００〜１０６の中の省電力モードの端末宛ての送信データ・パケットのバッファ制御を行うことができる。
【００３４】
図５を参照すると、アプリケーション・サーバ３１０は、省電力判定機構３２０と、バッファメモリ制御部３２４およびバッファメモリ３２６を含むトラフィック制御部３２２と、基地局２１０と通信するための送受信部（図示せず）とプロセッサ３０２を具えている。プロセッサ３０２上で、送信データ・パケットを供給するアプリケーション３３２ａおよび３３４ａとが実装される。アプリケーション３３２ａは、少ない遅延で送信されることを要するデータ・パケットを生成する。アプリケーション３３４ａは、バッファリングされて送信されるデータ・パケットを生成する。
【００３５】
省電力判定機構３２０は、基地局２１０を介して端末１００から、端末１００の省電力モードに関する設定の状態（命令）、省電力モードに関するユーザの要求、および／またはバッテリの残量を示す情報を受け取って、その情報に従って端末１００に対して省電力モードでトラフィック制御すべきか否かを判定して、その判定結果、即ちバッファメモリ３２６内の端末１００宛ての領域の制御モードをトラフィック制御部３２２に通知する。省電力判定機構３２０は、省電力モードに関する設定の状態（命令）に従って、バッファメモリ３２６内の端末１００宛ての領域の制御モードを省電力モードでトラフィック制御すべきと判定する。省電力判定機構３２０は、ユーザの要求に従って、バッファメモリ３２６内の端末１００宛ての領域の制御モードを省電力モードでトラフィック制御すべきと判定する。また、省電力判定機構３２０は、省電力モードに関する所定のルールに従って、端末１００のバッテリの電力残量が或る閾値より少ないとき、バッファメモリ３２６内の端末１００宛ての領域の制御モードを省電力モードでトラフィック制御すべきと判定する。
【００３６】
バッファメモリ制御部３２４は、省電力判定機構３２０の判定結果、即ち端末１００〜１０６との間の通信の制御モードに従って、ｎＭ個の端末１００〜１０６の各々宛ての送信データ・パケットのバッファリングを制御する。
【００３７】
基地局２１０は、サーバ３１０からデータ・パケットを受信すると、その受信パケットをその宛先である端末１００（１０６）に、次の送信タイミングで送信する。
【００３８】
端末１００は、図４のものと同様の構成を有し、再び説明することはしない。
【００３９】
バッファメモリ制御部３２４は、図７の処理フローに従って、図４の基地局のバッファメモリ制御部２２４と同様の形態で動作し、再び説明することはしない。基地局２１０は、アプリケーション・サーバ３１０から供給されたデータ・パケットを送信バッファメモリに格納し、それを端末ｎ宛ての次の送信タイミングで端末ｎに送信する。
【００４０】
図８は、図３のタイムチャートに従って図４および５の基地局２００および２１０における送信部２８２によって実行される送信バッファ制御のための処理フローを示している。
【００４１】
基地局２００および２１０の送信部２８２は、ステップ８０２においてトラフィック制御部２２２またはサーバ３００からの入力データ・パケットを待つ。送信部２８２は、トラフィック制御部２２２またはサーバ３００から端末に送信すべき入力データ・パケットを受け取ると、ステップ８０４において、端末の現在の状態によりその入力データ・パケットが省電力モードの端末宛てかどうかを判定する。その入力データ・パケットが省電力モードであり一時的な非省電力モードでない端末宛てであると判定された場合は、送信部２８２は、ステップ８０６においてその入力データ・パケットを端末ｎ宛ての省電力（ＰＳ）送信バッファに蓄積して、端末ｎが起動状態になっているときに、ビーコンを介してその端末に受信すべきデータ・パケットがあることを通知し、その端末からのポーリングに応答してまたはパケット受信の後、そのデータ・パケットをその端末に送信する。その入力データ・パケットが省電力モードの端末宛てでないかまたは一時的な非省電力モードの端末宛てであると判定された場合は、送信部２８２は、ステップ８０８においてその入力データ・パケットを端末ｎの送信バッファに格納して、次に無線回線が利用可能になったときにそのデータ・パケットをその端末に送信する。
【００４２】
図９は、ＩＥＥＥ８０２．１１による、図４の基地局２００の受信部２８４によって実行される省電力モードの端末宛てのバッファメモリの管理およびデータ・パケットの送受信のための処理フローを示している。
【００４３】
ステップ９０２において、基地局２００の受信部２８４は、端末１００〜１０６からのパケットの受信を待つ。受信パケットがあると、ステップ９０４において、受信部２８４は、その受信パケットが省電力モードの端末からのものかどうかを判定する。その受信パケットが一時的な非省電力モードの端末も含めて省電力モードの端末からのものでないと判定された場合は、ステップ９１２において、省電力判定機構２２０は、その端末から受信したパケット中の省電力モードのフラグがオンであるかどうかを判定する。省電力モードのフラグがオンであると判定された場合は、ステップ９１４において、送信部２８２および受信部２８４の端末管理テーブル内の端末ｎの省電力設定を省電力モードに設定する。その後、手順はステップ９１８に進む。ステップ９１２において省電力モードのフラグがオンでないと判定された場合は、手順はステップ９１８に進む。ステップ９１８において、受信部２８４は、受信パケットを処理する。その後、手順はステップ９０２に戻る。
【００４４】
ステップ９０４においてその受信パケットが一時的な非省電力モードの端末を除く省電力端末からのものであると判定された場合は、ステップ９２２において、省電力判定機構２２０は、その端末から受信したパケット中の省電力モードのフラグがオフであるかどうかを判定する。省電力モードのフラグがオフであると判定された場合は、ステップ９２４において、送信部２８２および受信部２８４の端末管理テーブル内の端末ｎの省電力設定の省電力モードを解除する。ステップ９２６において、受信部２８４は、受信パケットが端末からのポーリングを示す信号を含んでいるかを判定する。ポーリングを示す信号を含んでいないと判定された場合は、ステップ９２８において、受信部２８４は受信パケットを受信処理する。その後、手順はステップ９３０に進む。ステップ９２６においてポーリングを示す信号を含んでいないと判定された場合は、手順はステップ９３０に進む。ステップ９３０において、送信部２８２は、省電力送信バッファメモリ内の端末ｎ宛てのバッファメモリ領域から全てのデータ・パケットを送信バッファに供給して、そのパケットをその端末へと送信する。その後、手順はステップ９０２に戻る。
【００４５】
ステップ９２２において省電力モードのフラグがオフでないと判定された場合は、受信部２８４は、ステップ９３６において、受信パケットが端末からのポーリングを示す信号を含んでいるかどうかを判定する。ポーリングを示す信号を含んでいないと判定された場合は、ステップ９３８において、受信部２８４は受信パケットを受信処理する。その後、手順はステップ９０２に戻る。ステップ９３６においてポーリングを示す信号を含んでいると判定された場合は、ステップ９４０において、送信部２８２は省電力バッファメモリ内の端末ｎ宛てのバッファメモリ領域から１つのパケットを送信部２８２の送信バッファに供給して、そのパケットをその端末へと送信する。その後、手順はステップ９０２に戻る。
【００４６】
図５の基地局２１０の受信部２８４も、図４の基地局２００と同様の形態で、図９に従って省電力モードの端末用のバッファメモリの管理およびデータ・パケットの送受信ための処理を行う。
【００４７】
図６は、本発明のさらに別の実施形態による、無線ＬＡＮを構成するｎＭ個の端末１１０〜１１６および無線基地局２１０、および有線ＬＡＮ５０を介して無線基地局２１０と通信するアプリケーション・サーバ３００の構成を示している。
【００４８】
図６を参照すると、端末１１０は、プロセッサ１０２と、省電力判定機構１２０と、バッファメモリ制御部１２４およびバッファメモリ１２６を含むトラフィック制御部１２２と、送信部（ＴＸ）１８２および受信部（ＲＸ）１８４とを具えている。プロセッサ１０２上で、送信データ・パケットを供給するアプリケーション１３２ｂおよび１３４ｂと、省電力モードに関する設定状態（命令）、省電力モードに関するユーザの要求および／またはバッテリの電力残量を示す情報を供給するアプリケーション１３６と、が実装される。アプリケーション１３２ｂは、少ない遅延で送信されることを要するデータ・パケットを生成する。アプリケーション１３４ｂは、バッファされて送信されるデータ・パケットを生成する。送信部１８２は、送信バッファ制御を行う送信処理部と、無線送信機とを含んでいる。受信部１８４は、送受信バッファ制御を行う受信処理部と、無線受信機とを含んでいる。
【００４９】
省電力判定機構１２０は、アプリケーション１３６から、端末１１０の省電力モードに関する設定の状態（命令）、省電力モードに関するユーザの要求、および／またはバッテリの電力残量を示す情報を受け取って、その情報に従って端末１００に対して省電力モードでトラフィック制御すべきか否かを判定して、その判定結果、即ちバッファメモリ１２４の制御モードをトラフィック制御部３２２に通知する。省電力判定機構１２０は、省電力モードに関する設定の状態に従って、バッファメモリ１２６の制御モードを省電力モードでトラフィック制御すべきと判定する。また、省電力判定機構１２０は、ユーザの要求に従って、バッファメモリ１２６の制御モードを省電力モードでトラフィック制御すべきと判定する。また、省電力判定機構１２０は、省電力モードに関する所定のルールに従って、端末１００のバッテリの電力残量が或る閾値より少ないとき、バッファメモリ１２６の制御モードを省電力モードでトラフィック制御すべきであると判定する。
【００５０】
バッファメモリ制御部１２２は、省電力判定機構１２０の判定結果、即ち端末１００との間の通信の制御モードに従って、基地局２１０または他の端末（〜１１６）宛ての送信データ・パケットのバッファリングを制御する。
【００５１】
基地局２１０は、端末１１０〜１１６と通信するための送信部（ＴＸ）２８２および受信部（ＲＸ）２８４を具えている。基地局２１０は、端末１１０〜１１６からデータ・パケットを受信すると、その受信パケットをＬＡＮ５０を介してその宛先であるアプリケーション・サーバ３１０に送信する。
【００５２】
アプリケーション・サーバ３００はプロセッサ３０２を具えている。プロセッサ３０２上で、受信データ・パケットを受信するアプリケーション３３２ｂおよび３３４ｂが実装される。アプリケーション３３２ｂは、アプリケーション１３２ｂに対応し、アプリケーション１３２ｂによって生成されたデータ・パケットを受け取る。アプリケーション３３４ｂは、アプリケーション１３４ｂに対応し、アプリケーション１３４ｂによって生成されバッファリングされたデータ・パケットを受け取る。
【００５３】
図１０は、図３のタイムチャートに従って図６の端末１１０〜１１６におけるバッファ制御部１２２によって実行されるバッファ制御のための処理フローを示している。
【００５４】
ステップ１００４において、バッファ制御部１２４は、アプリケーション１３２ｂまたは１３４ｂ等から供給された入力データ・パケットが存在するかどうかを判定する。入力データ・パケットがないと判定された場合は、手順はステップ１０１４に進む。
【００５５】
ステップ１００４において入力データ・パケットがあると判定された場合は、ステップ１００６において、その入力データ・パケットが低遅延データ・パケットかどうか、即ちアプリケーション１３２ｂからの直ぐに送信すべきデータ・パケットかまたはアプリケーション１３４ｂからのバッファリングして送信すべきデータ・パケットかどうか、を判定する。その入力データ・パケットが低遅延データ・パケットであると判定された場合は、ステップ１００８において、バッファ制御部１２４は、直ぐにその入力データ・パケットを送信部１８２に渡す。送信部１８２は、次のタイミングでそのデータ・パケットを基地局２１０に送信する。その後、手順はステップ１００２に戻る。
【００５６】
その入力データ・パケットが低遅延データ・パケットでない、即ちバッファリングして送信すべきデータ・パケットであると判定された場合には、ステップ１０１０において、バッファ制御部１２４は、バッファメモリ１２６にその入力データ・パケットを蓄積し、バッファメモリ１２６のデータ・パケット量のインジケータの入力データ・パケットの量を加算する。ステップ１０１２において、バッファ制御部１２４は、端末１１０用のバッファメモリ１２６のデータ・パケット量のインジケータが所定の閾値を超えたかどうかを判定する。そのインジケータが所定の閾値を超えたと判定された場合は、手順はステップ１０１６に進む。
【００５７】
ステップ１０１２においてデータ・パケット量のインジケータが所定の閾値を超えていないと判定された場合は、バッファ制御部１２４は、ステップ１０１４において、タイマの現在の時間を監視して、現在の時間が、バッファメモリ１２４内のデータ・パケットを送信する送出時間を経過したかどうかを判定する。送出時間を経過したと判定されたときは、手順はステップ１０１６に進む。ステップ１０１６において、バッファ制御部１２２は、バッファメモリ１２６内のデータ・パケットを送信部１８２へ渡し、現在の時間が送出時間を経過していた場合にはタイマをクリアする。送信部１８２は、次のタイミングでそのデータ・パケットを基地局２１０に送信する。その後、手順はステップ１００４に戻る。ステップ１０１４において、バッファメモリ１２４内のデータ・パケットを送信する送出時間を経過していないと判定された場合には、手順はステップ１００４に戻る。
【００５８】
基地局２１０は、端末１１０からデータ・パケットを受信すると、その受信パケットをＬＡＮ５０を介してその宛先であるサーバ３００に転送する。
【００５９】
図４と図６は組み合わせて用いることができ、図４の端末１００は図６の端末１１０の機能を含み、図６の基地局２１０は図４の基地局２００の機能を含んでいてもよい。また、図５と図６は組み合わせて用いることができ、図５の端末１００は図６の機能を含み、図６のアプリケーション・サーバ３００は図５のアプリケーション・サーバ３１０の機能を含んでいてもよい。
【００６０】
図１１は、図４の基地局２００または図５の基地局２１０におけるバッファメモリ２２６または３２６に、連続する４つのビーコンの期間だけデータ・パケットを蓄積した後、またはパケット蓄積量が６つに達したときに、その蓄積されたデータ・パケットを送信部１８２の送信バッファに供給して３つの端末１００〜１０６（ここで、Ａ、ＢおよびＣとする）に送信する場合のタイムチャートを示している。基地局２００またはサーバ３００のトラフィック制御部２２２または３２２は、前回の或る端末宛ての省電力バッファメモリ領域から４ビーコン期間毎に、または或る端末宛てのバッファメモリ領域に蓄積されたデータ・パケットの量が６パケットに達したときに、そのデータ・パケットを基地局２００または３００の送信部２８２の送信バッファメモリに転送するものとする。各端末の待機時間は、１ビーコン期間に設定されているものとする。
【００６１】
図１１を参照すると、端末Ａ、ＢおよびＣ宛ての入力データが発生して省電力端末向けバッファメモリ２２６または３２６内の端末Ａ、ＢおよびＣ宛てのバッファメモリ領域に蓄積される。その蓄積されたデータ・パケットは、４つのビーコン期間の後の次のビーコン期間に読み出されて送信部１８２の送信バッファメモリに格納される。送信部１８２は、次のビーコン中のＴＩＭで端末Ａ宛てのデータ・パケットの存在を端末Ａに通知する。端末Ａは、そのビーコンを受信する直前に起動状態に移行して、そのビーコンを受信し、ポーリングを送信する（図示せず）。すると、基地局２００または２１０から端末Ａ宛てのデータ・パケットが端末Ａに送信される。端末Ａはそれを受信する。端末Ａは、最後のパケットを受信した後、１ビーコン期間待機状態を維持して、その期間にパケットが受信されないときは、休止状態に移行する。基地局２００または２１０と端末ＢおよびＣは、同様の動作を、１ビーコン期間ずつずらして実行する。このようにして、各端末Ａ、ＢおよびＣは、基地局側でバッファリングされたパケットを連続的に受信し、１ビーコン期間だけ待機した後、休止状態に移行する。従って、端末の消費電力が節減できる。
【００６２】
図１２は、図１１において、基地局２００またはアプリケーション・サーバ３００における端末Ａに対するトラフィックが大きい場合のタイムチャートを示している。
【００６３】
端末Ａに対するトラフィックが大きいために、省電力バッファメモリ２２６または３２６内の端末Ａ宛てのバッファメモリ領域は、６個のデータ・パケットが発生する毎に、その６個のデータ・パケットを送信部１８２の送信バッファメモリに転送することになる。送信部１８２は、バッファに蓄積された順にその送信バッファメモリから連続的に各端末宛てに送信する。もし、送信宛先の端末が起動状態にない場合はそのパケットはその端末宛ての省電力バッファへ一時的に待避され、起動している端末宛てのパケットが優先的に送信される。図１２において、端末Ａは、待機時間の経過前に次のデータ・パケットを受信し、その結果、６つのビーコン期間の間、起動状態を維持している。このように、端末Ａは、待機時間経過前にデータ・パケットを受信する限り起動状態を維持してデータ・パケットを受信する。端末ＢおよびＣは休止期間が長く、消費電力は小さくなっている。
【００６４】
図１３は、本発明による図１１と比較するための従来技術による端末Ａ、ＢおよびＣの起動状態を示している。端末Ａ、ＢおよびＣは相対的に長い時間起動状態を維持する。端末Ａ、ＢおよびＣの各々に対してデータ・パケットは連続的には送信されない。
【００６５】
図１４は、本発明による図１１と比較するための別の従来技術による端末Ａ、ＢおよびＣの起動状態を示している。端末Ａ、ＢおよびＣは、４つのビーコン期間毎に起動するよう設定されているが、それでも相対的に長い時間起動状態を維持する。端末Ａ、ＢおよびＣの各々に対してデータ・パケットは連続的には送信されない。
【００６６】
図１５は、本発明による図１２と比較するための従来技術による端末Ａ、ＢおよびＣの起動状態を示している。端末Ａ、ＢおよびＣは相対的に長い時間起動状態を維持する。特に、端末Ａは、長時間の間、起動状態を維持する。端末Ａ、ＢおよびＣの各々に対してデータ・パケットは連続的には送信されない。
【００６７】
以上説明した実施形態は典型例として挙げたに過ぎず、その変形およびバリエーションは当業者にとって明らかであり、当業者であれば本発明の原理および請求の範囲に記載した発明の範囲を逸脱することなく上述の実施形態の種々の変形を行えることは明らかである。
【００６８】
（付記１）  複数の無線端末と通信可能な無線基地局用の装置であって、
バッファメモリと、前記バッファメモリの制御手段と、送信手段と、受信手段と、を具え、
前記制御手段は、前記複数の無線端末の中の或る端末との間の通信が送信も受信も行わない休止状態とデータの送信または受信が可能な起動状態で構成される省電力モードであるときに、前記或る端末に送信すべきデータの受け取りに応答して、前記送信すべきデータを前記バッファメモリの前記或る端末用の領域に蓄積させ、
前記制御手段は、前記或る端末との間の通信が前記省電力モードであるときに、所定のタイミングまたは所定のバッファ蓄積量に達したときに、前記バッファメモリの前記領域から前記バッファメモリ内のデータがなくなるまで前記送信すべきデータを連続的に読み出して、前記送信手段に前記送信すべきデータを連続的に送信させることを特徴とする、装置。
（付記２）  前記制御手段は、さらに、前記バッファメモリの前記領域に蓄積された前記送信すべきデータの量が所定の閾値を超えたとき、前記バッファメモリの前記領域から前記送信すべきデータを連続的に読み出して前記送信手段に送信させることを特徴とする、付記１に記載の装置。
（付記３）  前記所定のタイミングの周期が、前記複数の端末に送信されるデータの有無を表す情報の送信間隔の２以上の整数倍である、付記１または２に記載の装置。
（付記４）  前記制御手段が、ユーザの要求および／またはバッテリの残量等の前記或る無線端末から受信した情報に従って、前記或る端末との間の通信を前記省電力モードを設定することを特徴とする、付記１乃至３のいずれかに記載の装置。
（付記５）  前記制御手段は、前記送信すべきデータが遅延送信可能なタイプのデータである場合には、前記送信すべきデータを前記バッファメモリの前記領域に蓄積し、前記送信すべきデータが低遅延で送信すべきタイプのデータであるときは、前記バッファメモリに蓄積させることなく前記送信手段に前記送信すべきデータを送信させることを特徴とする、付記１乃至４のいずれかに記載の装置。
（付記６）  複数の無線端末と通信する装置であって、
バッファメモリと、前記バッファメモリの制御手段と、送信手段と、受信手段と、を具え、
前記制御手段は、前記複数の無線端末の中の或る端末との間の通信が省電力モードであるときに、前記或る端末に送信すべきデータの受け取りに応答して、前記送信すべきデータを前記バッファメモリの前記或る端末用の領域に蓄積し、
前記制御手段は、前記或る端末との間の通信が前記省電力モードであるときに、前記バッファメモリの前記領域に蓄積された前記送信すべきデータの量が所定の閾値を超えたとき、前記バッファメモリの前記領域から前記バッファメモリ内のデータがなくなるまで前記送信すべきデータを連続的に読み出して前記送信手段に前記送信すべきデータを送信させることを特徴とする、装置。
（付記７）  無線基地局と通信する無線端末であって、
バッファメモリと、前記バッファメモリの制御手段と、送信手段と、受信手段と、を具え、
前記送信手段および受信手段は、送信も受信も行わない休止状態とデータの送信または受信が可能な起動状態で構成される省電力モードを有し、
前記制御手段の制御は、送信すべきデータの受け取りに応答して、前記送信すべきデータを前記バッファメモリに蓄積し、
前記送信手段は、所定のタイミングまたは所定のバッファ蓄積量に達したときに起動状態に移行して、前記バッファメモリから前記バッファメモリ内のデータがなくなるまで前記送信すべきデータを読み出して連続的に送信し、所定の時間の間に送信と受信のいずれも生じなかったときは前記休止状態に移行し、
前記所定のタイミングの間隔は前記所定の時間より長いことを特徴とする、無線端末。
（付記８）  前記制御手段は、さらに、前記バッファメモリの前記領域に蓄積された前記送信すべきデータの量が所定の閾値を超えたとき、前記バッファメモリの前記領域から前記送信すべきデータを連続的に読み出して前記送信手段に送信させることを特徴とする、付記７に記載の無線端末。
（付記９）  複数の無線端末と通信可能な装置用のプログラムであって、
前記複数の無線端末の中の或る端末との間の通信が、送信も受信も行わない休止状態とデータの送信または受信が可能な起動状態とで構成される省電力モードであるときに、前記或る端末に送信すべきデータの受け取りに応答して、前記送信すべきデータをバッファメモリの前記或る端末用の領域に蓄積させるステップと、
前記或る端末との間の通信が前記省電力モードであるときに、所定のタイミングまたは所定のバッファ蓄積量に達したときに、前記バッファメモリの前記領域から前記バッファメモリ内のデータがなくなるまで前記送信すべきデータを連続的に読み出して前記送信すべきデータを連続的に送信するステップと、
を実行させるよう動作可能なプログラム。
（付記１０）  複数の無線端末と通信する装置用のプログラムであって、
前記複数の無線端末の中の或る端末との間の通信が省電力モードであるときに、前記或る端末に送信すべきデータの受け取りに応答して、前記送信すべきデータをバッファメモリの前記或る端末用の領域に蓄積するステップと、
前記或る端末との間の通信が前記省電力モードであるときに、前記バッファメモリの前記領域に蓄積された前記送信すべきデータの量が所定の閾値を超えたとき、前記バッファメモリの前記領域から前記送信すべきデータを連続的に読み出して前記送信すべきデータを送信するステップと、
を実行させるよう動作可能なプログラム。
（付記１１）  送信すべきデータの受け取りに応答して、前記送信すべきデータをバッファメモリに蓄積するステップと、
所定のタイミングまたは所定のバッファ蓄積量に達したときに、データの送信が可能な起動状態に移行して、前記バッファメモリから前記バッファメモリ内のデータがなくなるまで前記送信すべきデータを読み出して連続的に送信し、所定の時間の間に送信と受信のいずれも生じなかったときは、送信も受信も行わない休止状態に移行するステップと、
を実行させるよう動作可能な、無線基地局と通信する無線端末用のプログラムであって、
前記所定のタイミングの間隔は前記所定の時間より長いことを特徴とする、プログラム。
（付記１２）  複数の無線端末と通信可能な装置における通信方法であって、
前記複数の無線端末の中の或る端末との間の通信が省電力モードであるときに、前記或る端末に送信すべきデータの受け取りに応答して、前記送信すべきデータをバッファメモリの前記或る端末用の領域に蓄積させるステップと、
前記或る端末との間の通信が前記省電力モードであるときに、所定のタイミングまたは所定のバッファ蓄積量に達したときに、前記バッファメモリの前記領域から前記バッファメモリ内のデータがなくなるまで前記送信すべきデータを連続的に読み出して前記送信すべきデータを連続的に送信するステップと、
を含む通信方法。
【００６９】
【発明の効果】
本発明は、前述の特徴によって、消費電力を低くする必要があるときに、消費電力効率を優先させるようなデータ転送を行う無線ネットワーク・システムを実現でき、また、消費電力を低くする必要があるときに、入力データを蓄積し、その蓄積されたデータを短い時間で連続的に送信または受信することができる無線ネットワーク・システムを、既存のシステムを大幅に変更することなしに、例えば制御プログラムの改変のみで実現できるという効果を奏する。
【図面の簡単な説明】
【図１】図１は、ＩＥＥＥ８０２．１１標準による、基地局からデータを受信する無線端末における非省電力モードと省電力モードの電力管理を示している。
【図２】図２は、そのデータの転送効率を改良した既知のデータ受信方法を示している。
【図３】図３は本発明の原理を示している。
【図４】図４は、本発明の実施形態による、無線ＬＡＮを構成する端末および無線基地局、および有線ＬＡＮを介して無線基地局と通信するアプリケーション・サーバの構成を示している。
【図５】図５は、本発明の別の実施形態による、無線ＬＡＮを構成する端末および無線基地局、および有線ＬＡＮを介して無線基地局と通信するアプリケーション・サーバの構成を示している。
【図６】図６は、本発明のさらに別の実施形態による、無線ＬＡＮを構成する端末および無線基地局、および有線ＬＡＮを介して無線基地局と通信するアプリケーション・サーバの構成を示している。
【図７】図７は、図３のタイムチャートに従って基地局におけるバッファ制御部によって実行されるバッファ制御のための処理フローを示している。
【図８】図８は、図３のタイムチャートに従って図５の基地局における送信部によって実行される送信バッファ制御のための処理フローを示している。
【図９】図９は、ＩＥＥＥ８０２．１１による、図４の基地局の送受信部によって実行される省電力モードの端末宛てのバッファメモリの管理およびデータ・パケットの送受信のための処理フローを示している。
【図１０】図１０は、図３のタイムチャートに従って端末におけるバッファ制御部によって実行されるバッファ制御のための処理フローを示している。
【図１１】図１１は、図４の基地局または図５の基地局におけるバッファメモリに、連続する４つのビーコンの期間だけデータ・パケットを蓄積した後、またはパケット蓄積量が６つに達したときに、その蓄積されたデータ・パケットを送信部の送信バッファに供給して３つの端末に送信する場合におけるタイムチャートを示している。
【図１２】図１２は、図１１において、基地局またはアプリケーション・サーバにおける端末Ａに対するトラフィックが大きい場合のタイムチャートを示している。
【図１３】図１３は、本発明による図１１と比較するための従来技術による端末の起動状態を示している。
【図１４】図１４は、本発明による図１１と比較するための別の従来技術による端末の起動状態を示している。
【図１５】図１５は、本発明による図１２と比較するための従来技術による端末の起動状態を示している。
【符号の説明】
５０  有線ＬＡＮ
１００〜１０６  無線端末
２００  無線基地局
２２０  省電力判定部
２２２  トラフィック制御部
３００  アプリケーション・サーバ
【図１】
2004165791.tif 000003
【図２】
2004165791.tif 000004
【図３】
2004165791.tif 000005
【図４】
2004165791.tif 000006
【図５】
2004165791.tif 000007
【図６】
2004165791.tif 000008
【図７】
2004165791.tif 000009
【図８】
2004165791.tif 000010
【図９】
2004165791.tif 000011
【図１０】
2004165791.tif 000012
【図１１】
2004165791.tif 000013
【図１２】
2004165791.tif 000014
【図１３】
2004165791.tif 000015
【図１４】
2004165791.tif 000016
【図１５】
2004165791.tif 000017